(57)【要約】【課題】  凹面鏡に写った像をあたかも実物が存在するかのように見せる映像形成装置を応用した、意匠性の向上したユニークな操作スイッチ装置を提案することを目的とする。【解決手段】  半球状の凹面鏡１と、この凹面鏡１の開口の略半分を覆う略１／４球状の覆板３と、この凹面鏡１の球心Ｏを通り、この凹面鏡１の前方にこの覆板３に連結して配した平板状の境板４と、この境板４のこの覆板３側に配した物体６と、この境板４のこの覆板３側に配した検知センサ７とを有し、この物体６の実像９をこの境板４の覆板３側とは反対側のこの凹面鏡１の前面の開口１０に表示するようにすると共にこの実像９を触れようとしたときにこの検知センサ７がこれを検知するようにしたものである。【選択図】        図１
2005222902.tif 000002
【特許請求の範囲】
【請求項１】
半球状の凹面鏡と、
該凹面鏡の開口の略半分を覆う略１／４球状の覆板と、
前記凹面鏡の球心を通り前記凹面鏡の前方に前記覆板に連結して配した平板状の境板と、
前記境板の前記覆板側に配した物体と、
前記境板の前記覆板側に配した検知センサとを有し、
前記物体の実像を前記境板の覆板側とは反対側の前記凹面鏡の前面の開口に表示するようにすると共に前記実像を触れようとしたときに前記検知センサがこれを検知するようにしたことを特徴とする操作スイッチ装置。
【請求項２】
請求項１記載の操作スイッチ装置において、
前記実像は球体、文字、記号等の図形であることを特徴とする操作スイッチ装置。
【請求項３】
請求項１記載の操作スイッチ装置において、
前記物体を発光素子により発光させるようにしたことを特徴とする操作スイッチ装置。
【請求項４】
請求項１記載の操作スイッチ装置において、
前記検知センサは赤外線センサであることを特徴とする操作スイッチ装置。
【発明の詳細な説明】
【技術分野】
【０００１】
本発明は例えばテレビジョン受像機のチャンネルの切り換えや音量の調節等に使用して好適な操作スイッチ装置に関する。
【背景技術】
【０００２】
従来、テレビジョン受像機のチャンネルの切り換えや音量の調節等を行うのにメカニカルの操作スイッチ装置が設けられている。
【０００３】
また特許文献１に凹面鏡に写った像をあたかも実物が存在するかのように見せる映像形成装置が開示されている。
【特許文献１】特開平５−３４６３１号公報
【発明の開示】
【発明が解決しようとする課題】
【０００４】
然しながら、このメカニカルな操作スイッチ装置は広く一般的に使われているため、特にデザインを重視するようにした高級機種のテレビジョン受像機等においては、このメカニカルの操作スイッチ装置が平凡な印象を与えることもあった。
【０００５】
また特許文献１にはこの凹面鏡に写った像をあたかも実物が存在するかのように見せる映像形成装置を操作スイッチ装置に応用し、意匠性の向上を図るようにしたことについては何等記載されていない。
【０００６】
本発明は斯る点に鑑み、凹面鏡に写った像をあたかも実物が存在するかのように見せる映像形成装置を応用した意匠性の向上したユニークな操作スイッチ装置を提案することを目的とする。
【課題を解決するための手段】
【０００７】
本発明操作スイッチ装置は半球状の凹面鏡と、この凹面鏡の開口の略半分を覆う略１／４球状の覆板と、この凹面鏡の球心を通り、この凹面鏡の前方にこの覆板に連結して配した平板状の境板と、この境板のこの覆板側に配した物体と、この境板のこの覆板側に配した検知センサとを有し、この物体の実像をこの境板の覆板側とは反対側のこの凹面鏡の前面の開口に表示するようにすると共にこの実像を触れようとしたときにこの検知センサがこれを検知するようにしたものである。
【発明の効果】
【０００８】
本発明によれば、物体の実像を境板の覆板側とは反対側の凹面鏡の前面の開口に表示すると共にこの実像を触れようとしたときに検知センサがこれを検知するようにしたので、意匠性の向上したユニークな操作スイッチ装置を得ることができる。
【発明を実施するための最良の形態】
【０００９】
以下図面を参照して本発明操作スイッチ装置を実施するための最良の形態の例につき説明する。
【００１０】
図１において、１は図２に示す如き、例えばテレビジョン受像機２の前面パネル２ａに、反射面を前面側として固定された凹面鏡を示す。
【００１１】
この凹面鏡１は、球心Ｏを中心とする球体の半分（半球体）から構成されている。この凹面鏡１は、例えば半球体のアクリル樹脂、スチレン樹脂等の透明度の高い樹脂体１ａの凸面側（裏面側）の表面に図３に示すように金属蒸着膜１ｂが施され、更にその上面に塗料等の保護膜１ｃが施されている。
【００１２】
このような凹面鏡１は、凹面側に金属蒸着膜を施すのではなく、凸面の裏面側に金属蒸着膜１ｂを施すようにしたことにより、鏡面を平滑度の高い表面にすることができ、高い解像度の映像が得られる。
【００１３】
この凹面鏡１の開口（前面側）の図面上、下から半分を覆う覆板３を設ける。この覆板３は光を遮蔽する不透明の樹脂で構成し、その形状は、この凹面鏡１を形成する球形の略１／４の球状とし、その略１／４球状の覆板３を凹面鏡１の開口（前面側）の下から半分を覆う如くテレビジョン受像機の前面パネル２ａに固定する。
【００１４】
また、この覆板３の図面上、上縁部に連結し、この凹面鏡１の球心Ｏを通り、この凹面鏡１の前方に配する如く、合成樹脂の不透明の平板状の半円形の境板４を設ける。この場合、覆板３と境板４とで１／４球状の収納部５を形成すると共に境板４の覆板３側との反対側は凹面鏡１の開口部１０を形成する。
【００１５】
本例においては、この収納部５の境板４の下側の凹面鏡１の球心Ｏの近傍に物体としての所定大きさの球体６を固定して設けると共にこの球体６内にＬＥＤ等の発光体を入れ、この球体６が発光体の発光により光る如くする。この物体である球体６を光るようにしたときには、認識性及び意匠性を向上することができる。
【００１６】
また本例においては、この境板４の外部より、凹面鏡１の球心Ｏに向かう途中に所定大きさの孔４ａを形成し、この境板４の孔４ａの収納部５側に検知センサとしての赤外線センサ７を設ける。この赤外線センサ７は赤外線発光ダイオード７ａと受光素子７ｂとより成り、この凹面鏡１の開口部１０より挿入された指８等よりの赤外線発光ダイオード７ａの光の反射光を受光素子７ｂで受光して、この指８等の挿入を検出する如くしたものである。
【００１７】
図１において、６ａは球体６内に設けた発光素子に電源を供給するリード線を示し、７ｃは赤外線ダイオード７ａに電源を供給すると共に受光素子７ｂよりの検出信号を種々の制御を行う中央制御装置に供給するリード線を示す。
【００１８】
この図１例においては、物体である球体６から出た光線のうち、この凹面鏡１の球心Ｏを通る半径方向の線Ｌに、平行に進んだ光線は凹面鏡１を反射したのち焦点Ｆを通り、また球体６から焦点Ｆを経て凹面鏡１を反射した光線は、球心Ｏを通る半径方向の線Ｌに平行に進む。
【００１９】
従って、球体６の実像９が線Ｌを挟んで即ち境板４の覆板３側とは反対側の球体６とは境板４に対し、対称な、凹面鏡１の開口部１０の位置に結像される。このようにして得られた実像９は、前方から見る人の目には、その位置に球体６が実在するかのように見える。
【００２０】
しかし、この実像９は凹面鏡１に写った像であるので、つかもうとしてもつかむことはできないため、原理を知らない人には不思議な存在に思える。しかも凹面鏡１を半球状に形成しているので、この実像９を開口部１０の前面において、真正面だけから見えるのではなく、約１８０°に亘る広い視野で見ることができる。
【００２１】
本例は上述の如く構成されているので、例えば図１に示す如く、凹面鏡１の開口部１０に指８等を挿入し実像９を触ろうとしたときには、赤外線センサ７の赤外線発光ダイオード７ａよりの赤外線をこの指８等が反射し、この反射光を受光素子７ｂが検出するので、指８等を非接触で検出することができる。この場合赤外線を利用した非接触の赤外線センサ７を使用しているが、指８等を開口部に挿入することにより確実に作動することができる。
【００２２】
本例による操作スイッチ装置２０をテレビジョン受像機２のチャンネルのアップ及びダウン、音量のアップ及びダウンの操作スイッチ装置として使用できる。例えばチャンネルのアップ又はダウンの操作スイッチ装置として使用したときには、この凹面鏡１の開口部１０より指８等を挿入し実像９を触れようとしている時間に応じてチャンネルがアップ又はダウンするようにすれば良い。この場合夫々の操作スイッチ装置２０の近傍に図４に示す如く、チャンネルＵＰ、チャンネルＤＯＷＮの表示をする。
【００２３】
また、この操作スイッチ装置２０を例えば音量のアップ又はダウンの操作スイッチ装置として使用したときには、この凹面鏡１の開口部１０より指８等を挿入し実像を触れようとしている時間に応じて音量がアップ又はダウンする如くする。この場合、この操作スイッチ装置２０の近傍に音量ＵＰ、音量ＤＯＷＮの表示をする。
【００２４】
図２は本例による操作スイッチ装置２０をテレビジョン受像機２に適用した例を示し、図４は図２のこの操作スイッチ装置２０が設けられた部分の拡大図である。
【００２５】
本例によれば物体である球体６の実像９を境板４の覆板３とは反対側の凹面鏡１の前面の開口部１０に表示すると共にこの実像９を触れようとしたときに検知センサである赤外線センサ７がこれを検知するようにしたので、意匠性の向上したユニークな操作スイッチ装置を得ることができる。
【００２６】
尚上述例においては物体として球体６を用いた例につき述べたが、この球体６の代わりに、この操作スイッチ装置２０の機能を表わすような文字や「＋」、「−」、「↑」、「↓」の記号等の図形とし、実像９として文字や「＋」、「−」、「↑」、「↓」の記号等の図形を表示するようにしても良い。
【００２７】
この場合、凹面鏡１の開口部１０に実像として文字や「＋」、「−」、「↑」、「↓」の記号等の図形が表示され、より直接的に操作スイッチ装置２０の機能を操作者に伝えることができる。
【００２８】
また上述例は検知センサとして赤外線センサ７を用いた例につき述べたが、この代わりに、超音波センサ、近接センサ（静電容量）、メカニカルスイッチ等を使用しても良いことは勿論である。
【００２９】
また、本発明は上述例に限ることなく、本発明の要旨を逸脱することなくその他種々の構成が採り得ることは勿論である。
【図面の簡単な説明】
【００３０】
【図１】本発明操作スイッチ装置を実施するための最良の形態の例を示す断面図である。
【図２】本発明操作スイッチ装置を使用したテレビジョン受像機の例を示す斜視図である。
【図３】凹面鏡の例を示す一部切欠断面図である。
【図４】図２の一部拡大斜視図である。
【符号の説明】
【００３１】
１‥‥凹面鏡、２ａ‥‥前面パネル、３‥‥覆板、４‥‥境板、５‥‥収納部、６‥‥球体、７‥‥赤外線センサ、８‥‥指、９‥‥実像、１０‥‥開口部、２０‥‥操作スイッチ装置
【図１】
2005222902.tif 000003
【図２】
2005222902.tif 000004
【図３】
2005222902.tif 000005
【図４】
2005222902.tif 000006